(57)【要約】【課題】  ガラスを用いた外壁構造において、特に、軽量で、地震等に強く、更に建築後に外部のシール材等の損傷が発生しにくく、外側からのメンテナンスフリーな壁構造が求められてきた。  特に中層・高層建築、超高層建築では、外壁の面積が、非常に大きくなり、定期的な外側のメンテナンスには、非常にコストが掛かるため、その解決が大きな課題となっていた。  更に、機密性、断熱性を、保持しながら、結露や通気性の良好な構造が求められており、地球温暖化を防止する省エネルギー建築や快適な室内環境を求めるための壁構造が求められている。【解決手段】  ガラス外壁構造を用いた建築物の外壁構造であって、ガラス板と外側押え板との間には、シール材が設けられており、外側押え板は、締結具により取付材に締結され、シール材が圧縮されて外気とのシール性を保持し、固定されている構造を提供する。【選択図】図２
2012107495.tif 000002
【特許請求の範囲】
【請求項１】
ガラス外壁構造を用いた建築物の外壁構造であって、
ガラス板と外側押え板との間には、シール材が設けられており、外側押え板は、締結具により取付材に締結され、シール材が圧縮されて外気とのシール性を保持し、固定されており、弾性密封材は、二次シールとして構成されていることを特徴とする建築物の外壁構造。
【請求項２】
ガラス外壁構造を用いた建築物の外壁構造であって、
予め、ガラス板と、シール材と、弾性密封材と、外側押え板とを、締結具により、取付  材に締め付け一体化したカーテン・ウォール構造となっており、
予め組立てられた第１カーテン・ウォール構造の上辺取付材は上部材に、下辺取付材は下部材に、カーテン・ウォール締結具により強固に締結固定し、上部材、及び下部材は支持梁に固定されており、
第１カーテン・ウォール構造の隣に密着して、第２カーテン・ウォール構造を、同様に、上部材、及び下部材に固定し、この手順を繰り返して、第３カーテン・ウォール構造、第４カーテン・ウォール構造等の外壁を順次取付けていくことを特徴とする請求項１記載の建築物の外壁構造。
【請求項３】
ガラス外壁構造を用いた建築物の外壁構造の取付方法であって、
少なくとも、
第１カーテン・ウォール構造の上辺取付材と、下辺取付材は、予め弾性密封材、及びシール材が圧縮されて、締結具により外気とのシール性を保持した構成を、製作しておく工程と、
組立てられた第１カーテン・ウォール構造の上辺取付材は上部材に、下辺取付材は下部材に、カーテン・ウォール締結具により強固に締結固定し、支持梁に固定される工程と、
第１カーテン・ウォール構造の隣に密着して、第２カーテン・ウォール構造を、同様に上部材、及び下部材に固定する工程と、
この手順を繰り返して、第３カーテン・ウォール構造、第４カーテン・ウォール構造と、順次取付けていく工程とを有する請求項１、又は請求項２記載の外壁構造を特徴とする建築物の外壁構造の取付方法。
【請求項４】
ガラス外壁構造を用いた建築物の外壁構造であって、
ガラス板と外側押え板との間には、シール材が設けられており、外側押え板は、締結具により取付材に締結され、シール材が圧縮されて外気とのシール性を保持し、固定されており、弾性密封材、及び／又は側面シール材は、ガラス板の内壁側に施工され、二次シールとして構成されていることを特徴とする建築物の外壁構造。
【請求項５】
ガラス外壁構造を用いた建築物の外壁構造であって、
前記シール材、及び前記側面シール材の材質は、鉛、又は鉛合金、又は銅合金、又はハンダ材等の軟質金属であることを特徴とする請求項１、又は請求項２、又は請求項４記載の建築物の外壁構造。
【請求項６】
ガラス板は、強度のある強化ガラス、又は網入り硝子、又はポリカーボネイト樹脂、又はアクリル樹脂等の合成樹脂板の材料であればいずれでもよく、
又、透光性のある材料、又はハーフミラー、又は遮光ガラス、又は調光性ガラス、又は、ＵＶカットガラス等のいずれでも良く、
又、厚さも自由に設定できるので、構造的にも、複層ガラス、又は合わせガラス、又はブラインド入りガラス、又は強化ガラスファサードシステム等の厚さのある構造であることを特徴とする請求項１、又は請求項２、又は請求項４、又は請求項５記載の建築物の外壁構造。
【請求項７】
ガラス外壁構造を用いた建築物の外壁構造であって、
ガラス板とボード等との間の空間には、ディスプレーを表示できる映像パネル２４、又は太陽光発電パネル、及び／又はＬＥＤ灯、又は蛍光灯、又は白熱灯等の灯具を設置したり、及び／又は造形物を設置したり、及び／又はボード等の外面に、デザインを表現することにより、壁面ディスプレーを構成したことを特徴とする請求項１、又は請求項２、又は請求項４、又は請求項５、又は請求項６記載の建築物の外壁構造。
【発明の詳細な説明】
【技術分野】
【０００１】  本発明は、建築物の外壁構造に関する。
【背景技術】
【０００２】  近年、採光性や視認性を高めると共に、近代的外観を持ったガラスを用いた外壁構造が求められている。
特に、軽量で、地震等に強く、更に建築後に外部のシール材等の損傷が発生しにくく、外側からのメンテナンスフリーな壁構造が求められてきた。
特に中層・高層建築や、超高層建築では、外壁の面積が、非常に大きくなり、定期的な外側のメンテナンスには、非常にコストが掛かるため、その解決が大きな課題となっていた。【０００３】  そして、更に、機密性、断熱性を、保持しながらシックハウスの原因となる結露や通気性の良好な構造が求められており、地球温暖化を防止する省エネルギ建築や快適な室内環境を求めるための断熱構造が求められている。【０００４】
【発明の概要】
【発明が解決しようとする課題】
【０００５】    本発明は、これらの問題点をすべて解決すると共に、簡単な構造で長寿命を達成でき、維持管理が容易な、かつ建設費が安価なガラス外壁構造を用いた建築物を提供するものである。
【課題を解決するための手段】
【０００６】  ガラス外壁構造を用いた建築物の外壁構造であって、
ガラス板と外側押え板との間には、シール材が設けられており、外側押え板は、締結具により取付材に締結され、シール材が圧縮されて外気とのシール性を保持し、固定されており、弾性密封材は、二次シールとして構成されていることを特徴とする建築物の外壁構造を提供する。【０００７】  ガラス外壁構造を用いた建築物の外壁構造であって、
予め、ガラス板と、シール材と、弾性密封材と、外側押え板とを、締結具により、取付  材に締め付け一体化したカーテン・ウォール構造となっており、
予め組立てられた第１カーテン・ウォール構造の上辺取付材は上部材に、下辺取付材は下部材に、カーテン・ウォール締結具により強固に締結固定し、上部材、及び下部材は支持梁に固定されており、
第１カーテン・ウォール構造の隣に密着して、第２カーテン・ウォール構造を、同様に、上部材、及び下部材に固定し、この手順を繰り返して、第３カーテン・ウォール構造、第４カーテン・ウォール構造等の外壁を順次取付けていくことを特徴とする請求項１記載の建築物の外壁構造を提供する。【０００８】  ガラス外壁構造を用いた建築物の外壁構造の取付方法であって、
少なくとも、
第１カーテン・ウォール構造の上辺取付材と、下辺取付材は、予め弾性密封材、及びシール材が圧縮されて、締結具により外気とのシール性を保持した構成を、製作しておく工程と、
組立てられた第１カーテン・ウォール構造の上辺取付材は上部材に、下辺取付材は下部材に、カーテン・ウォール締結具により強固に締結固定し、支持梁に固定される工程と、
第１カーテン・ウォール構造の隣に密着して、第２カーテン・ウォール構造を、同様に上部材、及び下部材に固定する工程と、
この手順を繰り返して、第３カーテン・ウォール構造、第４カーテン・ウォール構造と、順次取付けていく工程とを有する請求項１、又は請求項２記載の外壁構造を特徴とする建築物の外壁構造の取付方法を提供する。【０００９】  ガラス外壁構造を用いた建築物の外壁構造であって、
ガラス板と外側押え板との間には、シール材が設けられており、外側押え板は、締結具により取付材に締結され、シール材が圧縮されて外気とのシール性を保持し、固定されており、弾性密封材、及び／又は側面シール材は、ガラス板の内壁側に施工され、二次シールとして構成されていることを特徴とする建築物の外壁構造を提供する。【００１０】  ガラス外壁構造を用いた建築物の外壁構造であって、
前記シール材、及び前記側面シール材の材質は、鉛、又は鉛合金、又は銅合金、又はハンダ材等の軟質金属であることを特徴とする請求項１、又は請求項２、又は請求項４記載の建築物の外壁構造を提供する。【００１１】  ガラス板は、強度のある強化ガラス、又は網入り硝子、又はポリカーボネイト樹脂、又はアクリル樹脂等の合成樹脂板の材料であればいずれでもよく、
又、透光性のある材料、又はハーフミラー、又は遮光ガラス、又は調光性ガラス、又は、ＵＶカットガラス等のいずれでも良く、
又、厚さも自由に設定できるので、構造的にも、複層ガラス、又は合わせガラス、又はブラインド入りガラス、又は強化ガラスファサードシステム等の厚さのある構造であることを特徴とする請求項１、又は請求項２、又は請求項４、又は請求項５記載の建築物の外壁構造を提供する。【００１２】  ガラス外壁構造を用いた建築物の外壁構造であって、
ガラス板とボード等との間の空間には、ディスプレーを表示できる映像パネル２４、又は太陽光発電パネル、及び／又はＬＥＤ灯、又は蛍光灯、又は白熱灯等の灯具を設置したり、及び／又は造形物を設置したり、及び／又はボード等の外面に、デザインを表現することにより、壁面ディスプレーを構成したことを特徴とする請求項１、又は請求項２、又は請求項４、又は請求項５、又は請求項６記載の建築物の外壁構造を提供する。
【発明の効果】
【００１３】１）採光性や視認性を高めると共に、近代的外観を持ったガラスを用いた外壁構造であっ  て、軽量で、地震等に強く、更に建築後に外部のシール材等の損傷が発生しにくく、外  側からのメンテナンスフリーなガラス外壁構造を用いた建築物を提供する。
２）構造が簡単であるため高価な材料が必要でなく施工が、簡単にできるため、建設費が    安価であるという際立った特徴を有している。
３）特に外側のメンテナンスがフリーのため、点検、補修工事が必要なく多額の費用が発  生する外部足場を必要としないため、省資源、省エネルギであることより、地球温暖化  防止に寄与できる。
４）建物の構造は、ラーメン構造、トラス構造、木造、ツーバイフォー木造、鉄骨造、Ｒ  Ｃ造、ＳＲＣ造、等といずれでもよい。
５）シール材５、５ａの材質は、軟質金属の鉛又は鉛合金、又は銅合金、又は、ハンダ材  等、及び／又は、対候性の合成樹脂が用いられ、弾性を有しながらガラス板２を傷つけ  ない軟質材となっている。
６）軟質金属は、中世よりステンドグラスの材料として何世紀も使用されてきており、極  めて安定した素材である。又、不燃性材料である。
７）空間９は、空気の流通が可能な空間となっているため通気層として、断熱効果を発揮  したり、結露防止のため水分を除去でき、又冬季においては、暖気を流通し、夏季にお  いては冷気を流通することにより、結露防止、断熱、冷暖気効果を発揮することができ  る。
８）カーテン・ウォール構造とすることにより、シール材５、及び弾性密封材２０は、現  場施工ではなく、精度を保ってプレハブ化され、予め組立てたカーテン・ウォール構造  ３０を、現場に搬入し取付けることにより、シール性能の確保と、現場での施工時間の  短縮、熟練した取付職人でなくとも容易に取付けられ、コスト的にも大幅な削減を達成  できるのである。
９）本発明の構造は、特に中層建築、高層建築、超高層建築に適している。特に室内側よ  り施工可能のため、屋外側よりの施工が困難な場合は、更に中層建築、高層建築、超高  層建築に適している。
１０）ガラス板２は、強度のある強化ガラス、又は網入り硝子、又はポリカーボネイト樹  脂、又はアクリル樹脂等の合成樹脂板の材料であればいずれでもよく、
又、透光性のある材料、又はハーフミラー、又は遮光ガラス、又は調光性ガラス、又は  、ＵＶカットガラス等のいずれでも良い。
１１）又、厚さも自由に設定できるので、構造的にも、複層ガラス、又は合わせガラス、  又はブラインド入りガラス、又は強化ガラスファサードシステム等の厚さのある構造も  簡単な構成で、自由に、安価に採用できる特徴を有している。
１２）外壁の形状を多角形で構成したり、円形等の曲線形状のガラス窓に適用したり、多  様な形状を採用することが可能であり、近代建築の意匠性を飛躍的に、高めることがで  きる画期的構造を提供する。
１３）ガラス板２とボード等８との間の空間９には、ディスプレーを表示できる映像パネ  ル２４を設置しガラス板２を透して映像パネル２４の表示するディスプレーは、さまざ  まの動画、又は静止画の映像を表示させることができ、ビル壁面を使った大画像が表示  できるため、商業上極めて効果のある構成となる。
１４）太陽光発電パネル２５を設置した構成とすることにより再生可能エネルギーを発生  する省エネ建築とすることができる。
１５）空間９には、ＬＥＤ灯、又は蛍光灯、又は白熱灯等の灯具２６を配置することがで  きる。特にＬＥＤ灯は、発熱が少ないため狭い空間でも適用しやすく、又寿命が長く点  滅や、照度変化をし易く様々な多彩な演出を行うことができるのである。
１６）同様な効果としてボード等８の外面に、デザインを表現したり、空間９に造形物を  設置することもできる。
【図面の簡単な説明】
【００１４】
【図１】実施例１の全体概略斜視図である。
【図２】図１の断面Ａ−Ａの水平断面図である。
【図３】図２のＢ−Ｂ垂直断面図である。
【図４】図１のＣ−Ｃ垂直断面図である。
【図５】図１のＤ−Ｄ垂直断面図である。
【図６】図２の部分拡大図である。
【図７】実施例１のカーテン・ウォール構造の取付方法を示す概略図である。
【図８】実施例２の部分拡大図である。
【図９】本発明の中層建築、高層建築、超高層建築に適用した全体概略斜視図である。
【図１０】外壁の形状を多角形で構成した全体概略斜視図である。
【図１１】曲線形状のガラス窓に適用した窓部の外観図である。
【図１２】実施例３の構成を示す拡大断面図である。
【図１３】空間９に映像パネル２４、又は太陽光発電パネル２５を設置した外観構成図である。
【図１４】灯具３１により演出効果を与えた外観構成図である。
【発明を実施するための形態】
【００１５】  本発明は、発明の効果に前述した如く、採光性や視認性を高めると共に、近代的外観を持ったガラスを用いた外壁構造であって、軽量で、地震等に強く、更に建築後に外部のシール材等の損傷が発生しにくく、外側からのメンテナンスフリーなガラス外壁構造を用いた建築物を提供するものである。
【００１６】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。以下図面に基づいて詳細を説明する。
【実施例１】
【００１７】  実施例１の最大の特徴は、後述のようにカーテン・ウォール構造を採用することにより極めて優れた特徴を発揮できることにある。
以下、本発明の実施例について、図面を参照しながら説明する。
実施例１のガラス外壁構造を用いた建築物１の全体概略斜視図を、図１に示す。
カーテン・ウォール構造３０は、図１に示すように、隣接する順に、３０ａ、３０ｂと取付けられ、全数が順に建屋の梁、柱に取付けられる。【００１８】  図２は、図１のＡ−Ａ水平断面図を示す。
ガラス外壁構造を用いた建築物１の構成は、ガラス板２が、外側押え板３により、締結具４を介して取付けられている。
締結具４は、使用場所により、上下辺締結具４ａと、カーテン・ウォール締結具４ｂと、左右辺締結具４ｃにより構成されている。【００１９】  その壁面構成を説明すると、ガラス板２と外側押え板３との間には、シール材５が設けられており、外側押え板３は、締結具４ａ、４ｃにより取付材６に締結され、シール材５が、圧縮されて外気とのシール性を保持している。
ガラス板２の室内側と取付材６との間には、同様にシール材５が設けられており、外側押え板３は、締結具４ａ、４ｃにより取付材６に締結され、室内側と室外側のシール材５が、圧縮されて外気とのシール性を保持し、カーテン・ウォール構造３０を構成している。【００２０】  なお取付材６は、位置により、左辺取付材６ａ、右辺取付材６ｂ、上辺取付材６ｃ、下辺取付材６ｄにより構成されている。
左辺取付材６ａは左辺方立７ａに、右辺取付材６ｂは右辺方立７ｂに、夫々溶接等により強固に取付けられている。【００２１】  弾性密封材２０はガラス板の４辺の端部を取り囲う形状で、シール材５の内側に、施工され、二次シールとして構成されている。
締結具４は、ネジが設けられたビス、ボルト・ナット、又は釘、アンカー金具等の締結、固定できる部材であればいずれでも良い。【００２２】  取付材６、又は方立７の室内側には、紙又はシート、又はボード等で構成されたボード等８が設けられ、ガラス板２とボード等８との間は、空間９となっている。
前記ボード等８の内側には縦胴縁１０が強度上適切なピッチで横方向に配置され、縦胴縁１０の室内側には、内壁板１１が固定され、一体の外壁を構成している。
前記縦胴縁１０と内壁板１１とボード等８とで構成される空間９には、断熱材１２が充填されている。
上下方向の構成も、図３に示す如く、同様に構成されている。
図３は、図２のＢ−Ｂ垂直断面図である。【００２３】  図４は、ガラス板２の上部固定の１例を示しており、同様に外側押え板３は、締結具４ａにより上辺取付材６ｃに締結され、シール材５が、圧縮されて外気とのシール性を保持し、固定されている。
上辺取付材６ｃは、上部材１３に締結具４ｂにより取付けられる。
上部材１３は更に内壁側の水平梁１４、及び柱材１５に溶接等により強固に固定されている。
上部材１６の一部には、通気・排水孔１９が設けられている。
本実施例では、柱材１５と、水平梁１４とで、躯体が構成され、建築物全体の強度を保持している。【００２４】  図５は、図１のＤ−Ｄ垂直断面図である。
図５は、ガラス板２の下部固定の１例を示しており、同様に外側押え板３は、締結具４ａにより下辺取付材６ｄに、締結され、シール材５が、圧縮されて外気とのシール性を保持し、固定されている。【００２５】  下辺取付材６ｄは、下部材１６に締結具４ｂにより取付けられる。
下部材１６は、更に内壁側の水平梁１７、及び柱材１８に固定されている。
下部材１６の一部には、通気・排水孔１９が設けられている。
同様に、柱材１８と、水平梁１７は、上部の柱材１５と、水平梁１４とに接続され、躯体が構成され、建築物全体の強度を保持している。【００２６】  建物の構造は、ラーメン構造、トラス構造、木造、ツーバイフォー木造、鉄骨造、ＲＣ造、ＳＲＣ造、等といずれでもよい。【００２７】  又、構造が簡単であるため高価な材料が必要でなく施工が、簡単にできるため、建設費が安価であるという際立った特徴を有している。
特に外側のメンテナンスがフリーのため、点検、補修工事が必要なく多額の費用が発生する外部足場を必要としないため、省資源、省エネルギであることより、地球温暖化防止に寄与できることである。【００２８】  図６は、図２の外壁部の詳細拡大図である。
実施例１の外壁部の詳細構造を述べると、
ガラス板２は、外側押え板３により、締結具４ａ、４ｃを介して取付けられている。
ガラス板２と外側押え板３との間には、シール材５が設けられており、外側押え板３は、締結具４ａ、４ｃにより取付材６に締結され、シール材５が、圧縮されて外気とのシール性を保持し、固定されている。
なお取付材６は、位置により、左辺取付材６ａ、右辺取付材６ｂ、上辺取付材６ｃ、下辺取付材６ｄにより構成されている。【００２９】  ガラス板２は、強度のある強化ガラス、又は網入り硝子、又はポリカーボネイト樹脂、又はアクリル樹脂等の合成樹脂板の材料であればいずれでもよく、
又、透光性のある材料、又はハーフミラー、又は遮光ガラス、又は調光性ガラス、又は、ＵＶカットガラス等のいずれでも良い。【００３０】  又、厚さも自由に設定できるので、構造的にも、複層ガラス、又は合わせガラス、又はブラインド入りガラス、又は強化ガラスファサードシステム等の厚さのある構造も簡単な構成で、自由に、安価に採用できる特徴を有している。【００３１】  外側押え板３の材質は、金属、合成樹脂が用いられるが、特にメンテナンスの必要がほとんどない材質として、強度のある例えば耐候性鋼、又は、ステンレス鋼、又はガルバリウム鋼板等のメッキ鋼板、又はアルミニューム板、又はアルミニューム合金板、又は銅板、又は銅合金板、又はチタン、又はチタンメッキ鋼板、その他強度がありかつ腐食性がほとんどなく、劣化しにくい構造用合成樹脂材、セラミックス材等が用いられる。【００３２】  締結具４は、ネジが設けられたビス、ボルト・ナット、又は釘、アンカー金具等の締結、固定できる部材であればいずれでも良い。
締結具４の材質は、同様にメンテナンスの必要がなく、強度のある例えば耐候性鋼、又は、ステンレス鋼、又はガルバリウム鋼等のメッキ鋼材、又は銅合金、又はチタン、又はチタンメッキ鋼板、その他、強度がありかつ腐食性がほとんどなく、劣化しにくい構造用合成樹脂材、セラミックス材等が用いられる。【００３３】  前述のごとく締結具４は、使用場所により、上下辺締結具４ａと、カーテン・ウォール締結具４ｂと、左右辺締結具４ｃにより構成されている。
この場合に、上下辺締結具４ａと、カーテン・ウォール締結具４ｂは、皿頭ビス、左右辺締結具４ｃは、平頭ビスが好ましいが、いずれの形状を採用しても良い。【００３４】  次に、実施例１の全体構成を図７により説明する。
図６、図７に示す如く、隣接したカーテン・ウォール構造３０の夫々を、１枚の外側押え板３により締結して、カーテン・ウォール構造３０間の止水性能を向上させている。【００３５】  図６に示すように、平頭ビスの軸部の直径ｄ１に対し、軸部の穴径をＤ１とし、平頭ビスの頭部の直径ｄ２に対し、頭部の穴径をＤ２とし、
Ｄ１−ｄ１、及び、Ｄ２−ｄ２の隙間を、夫々最小０．５ミリ以上〜最大６ミリとする。このことにより、もし、地震や、膨張差等による変形が生じた場合に、隣接したカーテン・ウォール構造３０同士を、１枚の外側押え板３により締結しておいても、無理な応力が掛からないからである。
又、隣接したカーテン・ウォール構造３０同士の締結具４ｃは図７に示すように、千鳥配置として意匠性を持たせ、かつ外側押え板３の強度を高めても良い。【００３６】  シール材５、５ａは、軟質金属が用いられる。
シール材５、５ａの材質は、軟質金属の鉛又は鉛合金、又は銅合金、又は、ハンダ材等、及び／又は、対候性の合成樹脂が用いられ、弾性を有しながらガラス板２を傷つけない軟質材となっている。【００３７】  軟質金属は、中世よりステンドグラスの材料として何世紀も使用されてきており、極めて安定した素材である。又、不燃性材料である。【００３８】  弾性密封材２０の材質は、弾性を有する合成樹脂、及び／又は合成ゴム等で、充填、塗布等の工法で施工される。【００３９】  空間９は、空気の流通が可能な空間となっているため、断熱層や、結露防止のため水分を除去でき、又冬季においては、暖気を流通し、夏季においては冷気を流通することにより、結露防止、断熱、冷暖気効果を発揮することができる。【００４０】  図７は、カーテン・ウォール構造３０の構成、及び取付方法を示す概略図である。
カーテン・ウォール構造３０は、予め工場等にて、ガラス板２と、シール材５と、弾性密封材２０と、外側押え板３とを、締結具４ａ、４ｃにより取付材６に締め付け、一体化した構成となっている。【００４１】  予め工場で組立てられた第１カーテン・ウォール構造３０ａの上辺取付材６ｃは上部材１３に、下辺取付材６ｄは下部材１６に、カーテン・ウォール締結具４ｂにより強固に締結固定し、第１カーテン・ウォール構造３０ａを支持梁に固定する。【００４２】  又図４、図５、図７では、カーテン・ウォール締結具４ｂは、外側押え板３を貫通しているが、外側押え板３を、貫通せずに、上辺取付材６ｃを上部材１３に、下辺取付材６ｄを下部材１６に夫々取付、固定しても良い。【００４３】  第１の工程は、
第１カーテン・ウォール構造３０ａの上辺取付材６ｃと、下辺取付材６ｄは、予め弾性密封材２０及び、シール材５が圧縮されて、締結具４ａ、４ｃにより外気とのシール性を保持した構成を工場で、製作しておくのである。【００４４】  第２の工程は、
左辺取付材６ａと、右辺取付材６ｂは、施工手順として、第１カーテン・ウォール構造３０ａに、予め弾性密封材２０及び、シール材５を、外側押え板３に、仮止め状態として締結具４ｃで固定状態としておく。【００４５】  第３の工程は、予め工場で組立てられた第１カーテン・ウォール構造３０ａの上辺取付材６ｃは上部材１３に、下辺取付材６ｄは下部材１６に、カーテン・ウォール締結具４ｂにより強固に締結固定し、第１カーテン・ウォール構造３０ａを支持梁に固定する。【００４６】  第４の工程は、
第１カーテン・ウォール構造３０ａの隣に密着して、第２カーテン・ウォール構造３０ｂを、同様に上部材１３、及び下部材１６に固定する。【００４７】  第５の工程は、
第１カーテン・ウォール構造３０ａに対し外側押え板３を締結具４ｃにより本締めとして、強固に締結固定し、
次に第２カーテン・ウォール構造３０ｂに外側押え板３を締結具４ｃにより本締めとして、強固に締結固定する。
この手順を繰り返して、第３カーテン・ウォール構造３０ｃ、第４カーテン・ウォール構造３０ｄと取付けていくのである。【００４８】  このように構成することにより、シール材５、及び弾性密封材２０は、現場施工ではなく、精度を保ってプレハブ化され、予め組立てたカーテン・ウォール構造３０を、現場に搬入し取付けることにより、シール性能の確保と、現場での施工時間の短縮、熟練した取付職人でなくとも容易に取付けられ、コスト的にも大幅な削減を達成できるのである。
【実施例２】
【００４９】  以下、本発明の実施例について、図面を参照しながら説明する。
図８は、Ａ−Ａ水平断面図を示す。
実施例２の壁面構成を説明すると、ガラス板２と外側押え板３との間には、シール材５が設けられており、外側押え板３は、締結具４により取付材６に締結され、シール材５が、圧縮されて外気とのシール性を保持し、固定されている。【００５０】  弾性密封材２０及び／又は側面シール材５ａは、ガラス板の内壁側に施工され、二次シールとして構成されている。
締結具４は、ネジが設けられたビス、ボルト・ナット、又は釘、アンカー金具等の締結、固定できる部材であればいずれでも良い。【００５１】  取付材６の室内側には、ボード等８が設けられ、ガラス板２とボード等８との間は、空間９となっている。
前記ボード等８の内側には縦胴縁１０が強度上適切なピッチで横方向に設けられ、縦胴縁１０の室内側には、内壁板１１が固定され、一体の外壁を構成している。
前記縦胴縁１０と内壁板１１とボード等８とで構成される空間９には、断熱材１２が充填されている。
上下方向の構成も、左右方向と同一に構成されている。【００５２】  実施例２の外壁部の詳細構造を述べると、
ガラス板２は、外側押え板３により、締結具４を介して取付けられている。
ガラス板２と外側押え板３との間には、シール材５が設けられており、外側押え板３は、締結具４により取付材６に締結され、シール材５が、圧縮されて外気とのシール性を保持し、固定されている。【００５３】  ガラス板２の横方向の間には、弾性密封材２０が設けられている。該弾性密封材２０を貫通して、締結具４が、取付材６に、締結されている。
弾性密封材２０の側面には、充填材２１、及び／又は側面シール材５ａが設けられ、ガラス板の内壁側に施工され、二次シールとして構成されている。
充填材２１、又は側面シール材５ａの配置は、どちらが室内側でも良い。
このように構成すると、外気は、ガラス板２と外側押え板３との間のシール材５により、一次シールがなされ、外気、及び水、湿気等が遮断され、更に、充填材２１、及び／又は側面シール材５ａは、二次シールとして構成されているのである。【００５４】  締結具４は、ネジが設けられたビス、ボルト・ナット、又は釘、アンカー金具等の締結、固定できる部材であればいずれでも良い。図８では、特に固定性のため皿ビスが示されているが、その他の形状でも良い。
締結具４の材質は、同様にメンテナンスの必要がなく、強度のある例えば耐候性鋼、又は、ステンレス鋼、又はガルバリウム鋼等のメッキ鋼材、銅合金、その他、強度がありかつ腐食性がほとんどなく、劣化しにくい構造用合成樹脂材、セラミックス材等が用いられる。【００５５】  シール材５、５ａは、軟質金属が用いられる。
充填材２１は、弾性を有する合成樹脂、及び／又は合成ゴム等が用いられる。
充填材２１の内壁側の側面シール材５ａは、ガラス板２と取付材６との間のシールとなっており、その側面には充填材２１が設けられ２次シールとなっている。
弾性密封材２０の材質は、弾性を有する合成樹脂、及び／又は合成ゴム等で、充填、塗布等の工法で施工される。充填材２１、及び／又は側面シール材５ａのいずれかが、室内側でも良く、施工は室内側、又は屋外側より施工可能である。【００５６】  空間９は、空気の流通が可能な空間となっているため、断熱層や、結露防止のため水分を除去でき、又冬季においては、暖気を流通し、夏季においては冷気を流通することにより、結露防止、断熱、冷暖気効果を発揮することができる。【００５７】  図９は、中層建築、高層建築、超高層建築に、本発明構造を適用した建築物１の全体概略斜視図である。構造的には実施例１、又は実施例２の構造で構成することができる。【００５８】  図１０は、外壁の形状を多角形で構成した意匠性のある他の実施例の建築物１の全体概略斜視図である。
又、図１１は、円形等の曲線形状のガラス窓に適用した窓部の外観図である。
このように本発明のガラス外壁構造を用いた建築物１においては、多様な形状を採用することが可能であり、近代建築の意匠性を飛躍的に、高めることができる画期的構造を提供するものである。
【実施例３】
【００５９】  図１２は、実施例３の構成を示す拡大断面図である。
ガラス板２とボード等８との間の空間９には、ディスプレーを表示できる映像パネル２４、又は太陽光発電パネル２５を設置した構成となっている。
映像パネル２４の表示するディスプレーは、ガラス板２を透してさまざまの動画、又は静止画の映像を表示させることができ、本発明構造の大きな特徴となっている。【００６０】  映像パネル２４は、取付材６、又はボード等８等のいずれかに固定することができ、外部に設けたコントローラにより画像が制御される。
このような構成によりビル壁面を使った大画像が表示できるため、商業上極めて効果のある構成となる。【００６１】  又、太陽光発電パネル２５を設置した構成とすることにより再生可能エネルギーを発生する省エネ建築とすることができる。【００６２】  又、空間９には、ＬＥＤ灯、又は蛍光灯、又は白熱灯等の灯具２６を配置することができる。特にＬＥＤ灯は、発熱が少ないため狭い空間でも適用しやすく、又寿命が長く点滅や、照度変化をし易く様々な多彩な演出を行うことができる。
図１３は、空間９に映像パネル２４を設置した外観構成図である。
又、図１４は、灯具２５により演出効果を与えた外観構成図である。【００６３】  同様な効果としてボード等８の外面に、デザインを表現したり、空間９に造形物を設置することもできる。
【産業上の利用可能性】
【００６４】    本発明の活用例としては、以上説明したように、簡単な構造によりガラス外壁構造の多様な意匠性の高い建築による販売増が期待され、特にカーテン・ウォール構造とすることにより、建設費が安価なことによる経済効果と、外側のメンテナンスの大幅な削減による省資源、省エネルギーによる地球温暖化防止に寄与することができ、大きな産業上の効果を発揮することができる。
【符号の説明】
【００６５】１      ガラス外壁構造を用いた建築物
２      ガラス板
３      外側押え板
４      締結具
４ａ    上下辺締結具
４ｂ    カーテン・ウォール締結具
４ｃ    左右辺締結具
５      シール材
５ａ    側面シール材
６      取付材
６ａ    左辺取付材
６ｂ    右辺取付材
６ｃ    上辺取付材
６ｄ    下辺取付材
７      方立
７ａ    左辺方立
７ｂ    右辺方立
８      ボード等
９      空間
１０    縦胴縁
１１    内壁板
１２    断熱材
１３    上部材
１４、１７水平梁
１５、１８柱材
１６    下部材
１９    通気・排水孔
２０    弾性密封材
２１    充填材
２２    側面押え板
２３    締結具
２４    映像パネル
２５    太陽光発電パネル
２６    灯具
３０    カーテン・ウォール構造
【図１】
2012107495.tif 000003
【図２】
2012107495.tif 000004
【図３】
2012107495.tif 000005
【図４】
2012107495.tif 000006
【図５】
2012107495.tif 000007
【図６】
2012107495.tif 000008
【図７】
2012107495.tif 000009
【図８】
2012107495.tif 000010
【図９】
2012107495.tif 000011
【図１０】
2012107495.tif 000012
【図１１】
2012107495.tif 000013
【図１２】
2012107495.tif 000014
【図１３】
2012107495.tif 000015
【図１４】
2012107495.tif 000016